(57)【特許請求の範囲】
【請求項１】
複数の枚葉フォームと、その枚葉フォームの各枚目の位置を示すタイミングマークと、枚葉フォームの各枚目のミシンパターン情報が含まれるバーコードと、横ミシントンボと、縦ミシントンボと、を含む非定型の印刷が行われた２ＵＰ連続フォームに対して非定型のミシン加工を行なうランダムミシン加工機であって、
走行する前記連続フォームにおける走行を検出し走行信号を出力する走行検出手段と、
前記走行する連続フォームにおける前記タイミングマークを検出してマーク信号を出力するタイミングマークセンサと、
前記バーコードを前記マーク信号と前記走行信号に同期して読取りミシンパターン情報を出力するバーコードリーダと、
前記ミシンパターン情報に基づいて制御演算を行い前記ミシン加工のための操作信号を前記マーク信号と前記走行信号に同期して生成する制御手段と、
前記操作信号の１つである横ミシン操作信号を入力して前記連続フォームの走行方向に対して直角方向に配置する２つの領域に独立した横ミシン加工を行なう横ミシン加工手段と、
前記操作信号の１つである縦ミシン操作信号を入力して前記連続フォームの走行方向に対して直角方向に配置する２つの領域に独立した縦ミシン加工を行なう縦ミシン加工手段と、
を具備し、前記横ミシントンボは前記横ミシン加工の位置を示し、前記縦ミシントンボは前記縦ミシン加工の位置を示していることを特徴とするランダムミシン加工機。
【発明の詳細な説明】
【技術分野】
【０００１】
本発明は連続フォームにミシン加工をする技術分野に属する。特に、縦ミシン加工と横ミシン加工および２ＵＰ連続フォームの左右領域に対して独立した非定型のミシン加工を行なうランダムミシン加工機に関する。
【背景技術】
【０００２】
同一絵柄が繰り返し印刷された連続フォームに対して、その印刷絵柄に同調してミシン加工を行なう装置については周知である（たとえば特許文献１）。この場合、印刷されている同一絵柄の繰り返し間隔は印刷版胴の周長に等しい。したがって、ミシン加工を行なう場合には、その印刷版胴の周長に一致する周長を有するミシン胴とその受胴を使用することになる。しかし、この従来のミシン加工方法を、同一絵柄が繰り返し印刷されているのではない連続フォーム、すなわち非周期、非定型の印刷が行なわれている連続フォームに対して適用することはできない。
そこで、非定型の印刷が行なわれている連続フォームに対して非定型のランダムミシン加工を行なう装置についての発明がある（特許文献２、特許文献３）。この発明によると、連続フォームに印刷されたマークをマークセンサが読取りマーク読取信号を出力する。そのマーク読取信号によってミシン加工部の差動駆動装置が駆動し、差動軸を回転する。これにより差動機構を解したミシン加工が行なわれる。すなわち、連続フォームにミシン加工の位置を示すマークを印刷しておくことによりミシン加工が行なわれ、そのマークが印刷されていないときにはミシン加工が行なわれない。そのことにより、ランダムミシン加工が行なわれる。
【特許文献１】特開２００２−２７３８５８
【特許文献２】特開２０００−６１８８８
【特許文献３】特開２０００−６１８８９
【０００３】
しかしながら、この従来の方法においては、ミシン加工を行なうか否かを印刷されたマークの有無によってだけ判断しているため、多種多様な形態のミシン加工を行なうことが困難であった。たとえば、ミシンパターンの形態によっては多数個所にマークを印刷しなければならない。そのとき、その印刷を誤ることなく正確に行なうことは管理上の負荷が大きいという問題がある。また、他の印刷マーク、断裁マーク、等のマークとの並存を考慮するとそのマークを印刷するための余白が存在せず、ミシン加工が不可能であるという問題がある。
【発明の開示】
【発明が解決しようとする課題】
【０００４】
本発明は上記の問題を解決するために成されたものである。その目的は、縦ミシン加工と横ミシン加工および２ＵＰ連続フォームの左右領域に対して独立した非定型のミシン加工を行なうことができ、そのミシン加工における管理上の負荷が小さく、マークを印刷する余白が小さくて済み、多種多様な形態のミシン加工を困難なく行なえるランダムミシン加工機を提供することにある。
【課題を解決するための手段】
【０００５】
本発明の請求項１に係るランダムミシン加工機は、複数の枚葉フォームと、その枚葉フォームの各枚目の位置を示すタイミングマークと、枚葉フォームの各枚目のミシンパターン情報が含まれるバーコードと、横ミシントンボと、縦ミシントンボと、を含む非定型の印刷が行われた２ＵＰ連続フォームに対して非定型のミシン加工を行なうランダムミシン加工機であって、走行する前記連続フォームにおける走行を検出し走行信号を出力する走行検出手段と、前記走行する連続フォームにおける前記タイミングマークを検出してマーク信号を出力するタイミングマークセンサと、前記バーコードを前記マーク信号と前記走行信号に同期して読取りミシンパターン情報を出力するバーコードリーダと、前記ミシンパターン情報に基づいて制御演算を行い前記ミシン加工のための操作信号を前記マーク信号と前記走行信号に同期して生成する制御手段と、前記操作信号の１つである横ミシン操作信号を入力して前記連続フォームの走行方向に対して直角方向に配置する２つの領域に独立した横ミシン加工を行なう横ミシン加工手段と、前記操作信号の１つである縦ミシン操作信号を入力して前記連続フォームの走行方向に対して直角方向に配置する２つの領域に独立した縦ミシン加工を行なう縦ミシン加工手段と、を具備し、前記横ミシントンボは前記横ミシン加工の位置を示し、前記縦ミシントンボは前記縦ミシン加工の位置を示しているようにしたものである。
【発明の効果】
【０００６】
本発明によれば、２ＵＰ連続フォームの加工機における走行方向に対して直角方向に配置する２つの領域に独立したミシン加工が行なわれる。
【発明を実施するための最良の形態】
【０００７】
次に、本発明の実施の形態について図を参照しながら説明する。まず、本発明のランダムミシン加工機の全体構成について説明する。本発明のランダムミシン加工機における全体構成の一例を説明図として図１に示す。図１において、１は給紙部、２はＯＳ側加工部、３はＧＳ側加工部、４は折部、１００は巻取連続フォーム、２００は折連続フォームである。
図１に示すように、巻取体の連続フォーム１００は給紙部１からＯＳ側加工部２とＧＳ側加工部３に給送され折部４においてジグザグ折されて折連続フォーム２００を形成する。連続フォーム１００には両サイドのマージン部分の送り孔の加工とともに、フォームの中身、制御用マーク、等の印刷が行なわれている。また、ここで説明する一例においては、連続フォーム１００は走行方向に対して直角方向に配置する２つの独立した領域を有する、いわゆる２ＵＰ連続フォーム（２面付連続フォーム）である。
【０００８】
給紙部１は連続フォーム１００の巻取体から連続フォーム１００を巻き解いてランダムミシン加工部、すなわちＯＳ側加工部２とＧＳ側加工部３に給送するランダムミシン加工機の部分である。給紙部１は、駆動ローラと押えコロまたは押圧ローラによって連続フォーム１００をニップすることによって、または連続フォーム１００の送り孔にピントラクタのピンを嵌め込むことによって連続フォーム１００を給送する。
ＯＳ側加工部２は２ＵＰ連続フォームのＯＳ側（オペレータがランダムミシン加工機において操作を行なう側）の領域に対してミシン加工を行なうランダムミシン加工機の部分である。ＯＳ側加工部２は制御手段８の制御下においてランダムミシン加工を行なう。
ＧＳ側加工部３は２ＵＰ連続フォームのＧＳ側（ランダムミシン加工機において機械要素が設置されている側）の領域に対してミシン加工を行なうランダムミシン加工機の部分である。ＧＳ側加工部３は制御手段８の制御下においてランダムミシン加工を行なう。
折部４はランダムミシン加工を行なった連続フォーム１００をジグザグ折して折連続フォーム２００を得るランダムミシン加工機の部分である。ジグザグ折は折り用のミシン加工が行なわれた部分において行なわれる。
【０００９】
次に、本発明のランダムミシン加工機におけるランダムミシン加工に関係の深い部分の構成について説明する。本発明のランダムミシン加工機におけるランダムミシン加工に関係の深い部分の構成の一例をブロック図として図２に示す。図２において、５は走行検出手段、６はタイミングマークセンサ、７はバーコードリーダ、８は制御手段、２１は縦ミシン加工手段（ＯＳ）、２２は横ミシン加工手段（ＯＳ）、３１は縦ミシン加工手段（ＧＳ）、３２は横ミシン加工手段（ＧＳ）である。
走行検出手段５は連続フォーム１００における走行を検出し走行信号を出力するセンサである。たとえば、走行検出手段５は給紙部１におけるピントラクタの駆動軸に設けられたロータリーエンコーダとその演算装置から構成することができる。連続フォーム１００の走行に比例してロータリーエンコーダの軸が回転する。ロータリーエンコーダは回転量に応じた数の矩形波信号出力し、演算装置はその矩形波信号を入力する。演算装置はその矩形波信号に基づいて連続フォーム１００の走行速度、走行距離、等を演算する。演算により得られたそれらのデータ、すなわち走行信号は制御手段８によって入力される。
【００１０】
タイミングマークセンサ６は連続フォーム１００における各枚目に印刷されているタイミングマーク１０１を検出しマーク信号を出力するセンサである。たとえば、タイミングマークセンサ６としては、給紙部１における連続フォーム１００の走行経路に設けられた光電センサを使用することができる。タイミングマークセンサ６が出力するマーク信号は制御手段８によって入力される。
バーコードリーダー７はマーク信号と走行信号に同期してミシン指示バーコード１０２を読取りミシンパターン情報を出力するセンサである。バーコードリーダー７が出力するミシンパターン情報は制御手段８によって入力される。
制御手段８はミシンパターン情報に基づいて制御演算を行いミシン加工のための操作信号を、マーク信号と走行信号に同期した操作信号として生成する。制御手段８はＰＬＣ（programable logic controller）等のデータ処理装置のハードウェアとソフトウェアによって実現することができる。
【００１１】
縦ミシン加工手段（ＯＳ）２１はＯＳ側加工部２に設けられ、連続フォーム１００のＯＳ側の領域に対して縦ミシン加工を行なう装置である。縦ミシン加工手段（ＯＳ）２１は制御手段８の制御下において動作し、制御手段８が出力する操作信号の１つである縦ミシン操作信号を入力して縦ミシン加工を行なう。たとえば、縦ミシン加工手段（ＯＳ）２１は縦ミシンホイールと縦ミシン刃受とブラケットとエアーシリンダーと電磁弁によって構成することができる。縦ミシンホイールは円周部分に刃先が形成されたホイールである。縦ミシンホイールはホルダーを介してブラケットによって支持されている。ブラケットはエアーシリンダーによって駆動され、縦ミシンホイールを縦ミシン加工が行われる加工位置と縦ミシン加工が行われない退避位置とに移動可能となっている。縦ミシン刃受は縦ミシンホイールに対向して配置され、加工位置においては縦ミシン刃受と縦ミシンホイールの刃先が近接する。そのときに、その間に連続フォーム１００が存在するとその連続フォーム１００には縦ミシン加工が行なわれる。
【００１２】
エアーシリンダーは高圧エアーの供給口を選択する電磁弁によって操作され、その電磁弁の操作は制御手段８によって行われる。制御手段８はミシンパターン情報に基づいて連続フォーム１００における縦ミシン加工の位置を演算する。そして、その位置に設けられた縦ミシンホイールによって加工が行われるように、縦ミシン操作信号を出力する。制御手段８はこの縦ミシン操作信号によって電磁弁を操作してエアーシリンダーを動作させ縦ミシンホイールを加工位置とする。縦ミシン加工の位置が複数個所であるときには、その位置の各々に対して縦ミシンホイールを配置しておく。そして、ミシンパターン情報に基づいて実際に縦ミシン加工を行なう縦ミシンホイールを選択的に加工位置とし、その他は退避位置とする操作が制御手段８によって行われる。
【００１３】
横ミシン加工手段（ＯＳ）２２はＯＳ側加工部２に設けられ、連続フォーム１００のＯＳ側の領域に対して横ミシン加工を行なう装置である。横ミシン加工手段（ＯＳ）２２は制御手段８の制御下において動作し、制御手段８が出力する横ミシン操作信号を入力して横ミシン加工を行なう。たとえば、横ミシン加工手段（ＯＳ）２２はミシン胴と受胴とそれらを駆動するサーボモータとそのドライバーによって構成することができる。ミシン胴はその胴表面に刃先が突出するように胴軸方向に沿ってミシン刃が設けられている胴である。受胴はその胴表面の胴軸方向に沿ってミシン刃（の刃先）を受けるために突出した刃受部が設けられている胴である。ミシン胴と受胴が同期して回転することによりミシン刃と刃受部が近接したときに、その間に連続フォーム１００が存在するとその連続フォーム１００には横ミシン加工が行なわれる。
【００１４】
制御手段８はミシンパターン情報に基づいて連続フォーム１００における横ミシン加工の位置を演算する。さらに、制御手段８は、その制御演算において、横ミシン加工の位置に横ミシン加工が正確に行なわれるように操作信号を演算し、サーボモータのドライバーに対してその操作信号を出力する。制御手段８は、この制御において、すくなくとも横ミシン加工が行なわれる瞬間においては、連続フォーム１００における横ミシン加工部分の位置とミシン胴におけるミシン刃の刃先の位置とが一致することを制御目標とする。また、制御手段８は、この制御において、すくなくとも横ミシン加工が行なわれる瞬間においては、連続フォーム１００における横ミシン加工の部分の走行速度とミシン胴におけるミシン刃の刃先の回転面の速度とが一致することを制御目標とする。なお、横ミシン加工が行われないときには、連続フォーム１００と横ミシン加工手段（ＯＳ）２２におけるミシン刃とは離れており、横ミシン加工手段（ＯＳ）２２によって連続フォーム１００の走行が妨げられることはない。ミシン刃の刃先を受け止める受胴は円柱状のシャフトを使用することができる。また、刃受部を有する受胴であってもよい。
【００１５】
縦ミシン加工手段（ＧＳ）３１はＧＳ側加工部３に設けられ、連続フォーム１００のＧＳ側の領域に対して縦ミシン加工を行なう装置である。縦ミシン加工手段（ＧＳ）３１は連続フォーム１００における加工する領域が相違する点を除くと縦ミシン加工手段（ＯＳ）２１と同様であるから説明を省略する。
横ミシン加工手段（ＧＳ）３２はＧＳ側加工部３に設けられ、連続フォーム１００のＧＳ側の領域に対して横ミシン加工を行なう装置である。横ミシン加工手段（ＧＳ）３２は連続フォーム１００における加工する領域が相違する点を除くと横ミシン加工手段（ＯＳ）２２と同様であるから説明を省略する。
【００１６】
次に、本発明のランダムミシン加工機の加工対象（原反）である連続フォーム１００におけるタイミングマークとミシン指示バーコードについて説明する。ランダムミシン加工機の加工対象（原反）である連続フォーム１００の一例を図３、図４に示す。図３、図４において、１０１はタイミングマーク、１０２はミシン指示バーコード、１０３は縦ミシントンボ、１０４は横ミシントンボである。
タイミングマーク１０１は連続フォーム１００の各枚目の位置を示すマークである。連続フォーム１００は切り離されていない（未切断の）複数の枚葉フォームによって構成される。タイミングマーク１０１は、図３に示す一例において、ページ番号で示す枚葉フォームの各枚目の境界線の近くのマージン（余白）部分に矩形のマークとして印刷されている。連続フォーム１００は２ＵＰ連続フォームであるが、図３と図４を比較参照すると判るように、両面で４ページを単位として一箇所だけタイミングマーク１０１の印刷が行なわれている。言い換えると、１つのタイミングマーク１０１は両面で４ページの枚葉フォームの位置を示している。図３と図４に示す一例では、４ページ目、８ページ目、１２ページ目、１６ページ目、等にマージン（余白）部分にタイミングマーク１０１の印刷が行なわれている。
【００１７】
ミシン指示バーコード１０２は非定型のミシン加工を行なうためのミシンパターン情報が含まれるバーコードである。図３に示す一例において、ページ番号で示す枚葉フォームの偶数ページの右側の境界線の近くに長矩形領域のバーコードとして印刷が行なわれている。連続フォーム１００は２ＵＰ連続フォームであるから、左右（ＧＳ側とＯＳ側）の枚葉フォームの各々に対して１つのミシン指示バーコード１０２が印刷されている。これにより、連続フォーム１００のＯＳ側の領域とＧＳ側の領域に対して独立にランダムミシン加工を行なうことができる。図３と図４を比較参照すると判るように、このミシン指示バーコード１０２は片面にだけ、すなわち連続フォーム１００の裏面にだけ印刷が行なわれている。当然ながら、ミシン加工は両面に亘る加工であるから、１枚の枚葉フォームに対して片面に１つのミシン指示バーコード１０２が印刷されていれば、それで済ますことができる。
【００１８】
なお、図４に一例を示す縦ミシントンボ１０３は縦ミシン加工におけるミシン目の適正位置を示すために連続フォーム１００に印刷されたトンボである。また、図４に一例を示す横ミシントンボ１０４は横ミシン加工におけるミシン目の適正位置を示すために連続フォーム１００に印刷されたトンボである。これらはランダムミシン加工が適正に行われたか否かを目視判定するために設けられたミシントンボである。
【００１９】
次に、このミシン指示バーコード１０２の内容について一例を説明する。本発明の加工対象の連続フォームに印刷されているミシン指示バーコード１０２の内容について一例の説明図を図５に示す。図５（Ａ）はミシン指示バーコード１０２の内容（項目、桁数、等）を表として示した図である。また、図５（Ｂ）はミシン指示バーコード１０２の内容をその一例（読取結果が「ａ０１２３４５００１０１２１０３６ａ」の場合）と印刷位置との関係で示した図である。
図５に示す一例においては、ミシン指示バーコード１０２はミシンパターン情報だけでなくその他の情報を含んでいる。すなわち、ミシン指示バーコード１０２は、スタート文字、通数連番、現在枚目、総枚目、帳票種別、ミシンパターン、チェックディジット、エンド文字から構成される。
【００２０】
スタート文字は、ミシン指示バーコード１０２の１桁目に１桁が割当てられ、必ず「ａ」である。通数連番は、ミシン指示バーコード１０２の２桁目から７桁目の６桁が割当てられ、たとえば「０１２３４５」である。現在枚目は、ミシン指示バーコード１０２の８桁目から１０桁目の３桁が割当てられ、たとえば「００１」である。総枚目は、ミシン指示バーコード１０２の１１桁目から１３桁目の３桁が割当てられ、たとえば「０１２」である。帳票種別は、ミシン指示バーコード１０２の１４桁目に１桁が割当てられ、たとえば「１」である。ミシンパターンは、ミシン指示バーコード１０２の１５桁目から１６桁目の２桁が割当てられ、たとえば「０１」である。チェックディジットは、ミシン指示バーコード１０２の１７桁目に１桁が割当てられ、たとえば「１」である。エンド文字は、ミシン指示バーコード１０２の１８桁目に１桁が割当てられ、必ず「ａ」である。
【００２１】
上記内容を有するミシン指示バーコード１０２において、ミシンパターン情報は１５桁目から１６桁目の２桁が割当てられたミシンパターンの部分である。ここで示す一例においては、ミシンパターン情報は２桁の英数字で表現される文字列によって決まるミシンパターンである。ミシンパターンの実際のミシン加工の形態はその文字列に対応付けられてランダムミシン加工機（における制御手段の記憶装置、等）に前もって登録されている。ミシン加工の形態は連続フォーム１００において縦ミシン加工を行なう位置、横ミシン加工を行なう位置である、その位置は複数個所であってもよい。登録可能なミシン加工の形態の数は２桁の文字列によって表現できる数であるが、必要ならば文字列の桁数を増やすことにより登録可能なミシン加工の形態の数を増やしてもよい。複数の縦ミシン加工と複数の横ミシン加工に対応して複数の加工位置が存在する複雑なミシンパターンを短い文字列によって指定することができる。したがって、管理上の負荷が小さく、マークを印刷する余白が小さくて済み、多種多様な形態のミシン加工を困難なく行うことが可能となる。
【００２２】
以上、構成について説明した。次に、本発明のランダムミシン加工機における動作について説明する。本発明のランダムミシン加工機における動作の過程をフロー図として図６に示す。特に、説明しないが下記の動作の過程は連続フォーム１００のＯＳ側の領域とＧＳ側の領域の両方に対する独立したミシン加工の動作の過程として行なわれる。
まず、図６のステップＳ１（連続フォーム給送）において、給紙部１は巻取体の連続フォーム１００を巻き解いてミシン加工を行なうＯＳ側加工部２、ＧＳ側加工部３に連続フォーム１００を送給する。この送給は、通常は連続的に行われ、ステップＳ９（終了）においてランダムミシン加工を終了（機械停止）するまで継続する。
次に、ステップＳ２（走行検出）において、走行検出手段５は連続フォーム１００の走行を検出して連続フォーム１００の走行速度、走行距離、等の走行信号を出力する。制御手段８はその走行信号を入力する。この走行検出は、通常は連続的に行われ、ステップＳ９（終了）においてランダムミシン加工を終了（機械停止）するまで継続する。
【００２３】
次に、ステップＳ３（タイミングマーク検出）において、タイミングマークセンサ６は連続フォーム１００における各枚目に印刷されているタイミングマーク１０１を検出しマーク信号を出力する。制御手段８はそのマーク信号を入力する。このタイミングマーク検出は、当然ながら間欠的に行われる。
次に、ステップＳ４（バーコード検出）において、バーコードリーダー７はマーク信号と走行信号に同期してミシン指示バーコード１０２を読取りミシンパターン情報を出力する。このマーク信号と走行信号に同期して読取る方法としては、たとえば、次の方法が適用される。バーコードリーダー７はバーコードの読取り動作を繰り返し行なうことができるが、読取領域にバーコードが存在しないときには読取エラーを出力する。一方、制御手段８はマーク信号と走行信号を入力しており、連続フォーム１００に印刷されたミシン指示バーコード１０２が読取領域に到達しその領域に存在する期間を演算することができる。バーコードリーダー７は、その期間においてミシン指示バーコード１０２を読取ることによって得られたミシンパターン情報を出力する。
【００２４】
次に、ステップＳ５（ミシンパターン情報入力）において、制御手段８はミシン指示バーコード１０２がバーコードリーダー７の読取領域に到達しその領域に存在する期間にバーコードリーダー７が読取ったミシンパターン情報を入力する。
次に、ステップＳ６（制御演算）において、制御手段８はミシンパターン情報に基づいて制御演算を行いミシン加工のための操作信号をマーク信号と走行信号に同期した操作信号として生成する。ミシンパターン情報は、すでに説明したように、ミシン指示バーコード１０２において１５桁目から１６桁目の２桁が割当てられたミシンパターンの部分である。したがって、２桁の文字列であるミシンパターン情報に基づいて、制御手段８は、その記憶装置に登録されている実際のミシン加工の形態を読込む。すなわち、制御手段８は、連続フォーム１００において縦ミシン加工を行なう位置、横ミシン加工を行なう位置を取得する。そして、制御手段８は、その位置の縦ミシン加工用に設けられた縦ミシンホイールを選択し、対応する電磁弁を操作しエアーシリンダーを動作させその選択した縦ミシンホイールを加工位置とする縦ミシン操作信号を所定のタイミングで出力する。また、制御手段８は、横ミシン加工の位置に横ミシン加工が正確に行なわれるように横ミシン操作信号を演算し、サーボモータのドライバーに対してその横ミシン操作信号を出力する。
【００２５】
次に、ステップＳ７（ミシン加工）において、縦ミシン加工手段（ＯＳ）２１、横ミシン加工手段（ＧＳ）２２、縦ミシン加工手段（ＯＳ）３１、横ミシン加工手段（ＧＳ）３２の各々は、各々の操作信号を入力する。そして、それらのミシン加工手段は、ＯＳ側加工部２とＧＳ側加工部３を連続フォーム１００が走行する間に、連続フォーム１００に対してその操作信号に従ったミシン加工を行う。
次に、ステップＳ８（ジグザグ折）において、折部４はランダムミシン加工を行なった連続フォーム１００をジグザグ折し折連続フォーム２００を得る。なお、各枚葉フォームにおける境界のミシン目、すなわちジグザグ折のためのミシン加工は、上述のランダムミシン加工において行うことが可能である。また、ランダムミシン加工とは別工程としてそのジグザグ折のためのミシン加工を行なっておいてもよい。
次に、ステップＳ９（終了？）において、連続フォーム１００におけるミシン加工すべき部分のすべてについてミシン加工が済んでいないときにはステップＳ１に戻って、前述した以降のステップを繰り返す。そのすべてのミシン加工が済んでいるか、オペレータの操作等による終了の割込入力、その他の停止信号入力、等があったときには一連のランダムミシン加工を終了とする。ステップＳ１〜Ｓ８の過程において、２ＵＰ連続フォームの場合には、連続フォーム１００における左右（ＧＳ側とＯＳ側）に配置する各１枚の枚葉フォームのミシン加工が終了する。したがって、ステップＳ１〜Ｓ８の過程は連続フォーム１００において結合している各１枚の枚葉フォームの数だけ繰り返される。
【００２６】
以上、動作について説明した。次に、本発明のランダムミシン加工機によってミシン加工が行われた連続フォーム２００におけるミシン加工の一例について説明する。本発明のランダムミシン加工機によってミシン加工が行われた連続フォーム２００におけるミシン加工の一例を図７〜図１１に示す。全くランダムミシン加工を行なわれないミシンパターンの一例をミシンパターン１とすると、ランダムミシン加工が行われているミシンパターンはミシンパターン２から始まる。
【００２７】
図７はミシンパターン２を示す図である。このミシンパターン２においては、ＯＳ側の領域もＧＳ側の領域も同様のランダムミシン加工が行われている。ＯＳ側の領域において、縦ミシン加工は縦ミシン１の１箇所、横ミシン加工は横ミシン１、横ミシン２、横ミシン３の３箇所である。また、ＧＳ側の領域において、縦ミシン加工は縦ミシン３の１箇所、横ミシン加工は横ミシン５、横ミシン６、横ミシン７の３箇所である。
図８はミシンパターン３を示す図である。このミシンパターン３においては、ＯＳ側の領域もＧＳ側の領域も同様のランダムミシン加工が行われている。ＯＳ側の領域において、縦ミシン加工は縦ミシン１と縦ミシン２の２箇所、横ミシン加工は横ミシン１、横ミシン２、横ミシン３の３箇所である。また、ＧＳ側の領域において、縦ミシン加工は縦ミシン３と縦ミシン４の２箇所、横ミシン加工は横ミシン５、横ミシン６、横ミシン７の３箇所である。
図９はミシンパターン４を示す図である。このミシンパターン４においては、ＯＳ側の領域もＧＳ側の領域も同様のランダムミシン加工が行われている。ＯＳ側の領域において、縦ミシン加工は縦ミシン１の１箇所、横ミシン加工は横ミシン１、横ミシン２の２箇所である。また、ＧＳ側の領域において、縦ミシン加工は縦ミシン３の１箇所、横ミシン加工は横ミシン５、横ミシン６の２箇所である。
図１０はミシンパターン５を示す図である。このミシンパターン５においては、ＯＳ側の領域もＧＳ側の領域も同様のランダムミシン加工が行われている。ＯＳ側の領域において、縦ミシン加工は縦ミシン１の１箇所、横ミシン加工は横ミシン４の１箇所である。また、ＧＳ側の領域において、縦ミシン加工は縦ミシン３の１箇所、横ミシン加工は横ミシン８の１箇所である。
図１１はミシンパターン６を示す図である。このミシンパターン６においては、ＯＳ側の領域もＧＳ側の領域も同様のランダムミシン加工が行われている。ＯＳ側の領域において、縦ミシン加工は縦ミシン１の１箇所、横ミシン加工は０箇所である。また、ＧＳ側の領域において、縦ミシン加工は縦ミシン３の１箇所、横ミシン加工は０箇所である。
【００２８】
図７〜図１１に示す一例においては、ＯＳ側の領域もＧＳ側の領域も同様のランダムミシン加工が行われている一例であるが、本発明のランダムミシン加工機の構成から明らかなように、ＯＳ側の領域とＧＳ側の領域の各々に対して全く異なるランダムミシン加工を行なうことができる。また、縦ミシン加工も縦ミシン１〜縦ミシン４に限定されず任意の位置の縦ミシン加工を任意数（上限は設置した縦ミシンホイールの数による）だけ行なうことができる。同様に、横ミシン加工も横ミシン１〜横ミシン８に限定されず任意の位置の横ミシン加工を任意数（上限は設置したミシン胴の数による）だけ行なうことができる。
【図面の簡単な説明】
【００２９】
【図１】本発明のランダムミシン加工機における全体構成の一例を示す説明図である。
【図２】本発明のランダムミシン加工機におけるランダムミシン加工に関係の深い部分の構成の一例を示すブロック図である。
【図３】本発明のランダムミシン加工機の加工対象（原反）である連続フォームの一例を示す図（その１）である。
【図４】本発明のランダムミシン加工機の加工対象（原反）である連続フォームの一例を示す図（その２）である。
【図５】本発明の加工対象の連続フォームに印刷されているバーコード（ミシン指示バーコード）の内容について一例を示す説明図である。
【図６】本発明のランダムミシン加工機における動作の過程を示すフロー図である。
【図７】本発明のランダムミシン加工機によってミシン加工が行われた連続フォーム２００におけるミシン加工の一例（その１）を示す図である。
【図８】本発明のランダムミシン加工機によってミシン加工が行われた連続フォーム２００におけるミシン加工の一例（その２）を示す図である。
【図９】本発明のランダムミシン加工機によってミシン加工が行われた連続フォーム２００におけるミシン加工の一例（その３）を示す図である。
【図１０】本発明のランダムミシン加工機によってミシン加工が行われた連続フォーム２００におけるミシン加工の一例（その４）を示す図である。
【図１１】本発明のランダムミシン加工機によってミシン加工が行われた連続フォーム２００におけるミシン加工の一例（その５）を示す図である。
【符号の説明】
【００３０】
１  給紙部
２  ＯＳ側加工部
３  ＧＳ側加工部
４  折部
１００  巻取連続フォーム
２００  折連続フォーム
５  走行検出手段
６  タイミングマークセンサ
７  バーコードリーダ
８  制御手段
２１  縦ミシン加工手段（ＯＳ）
２２  横ミシン加工手段（ＯＳ）
３１  縦ミシン加工手段（ＧＳ）
３２  横ミシン加工手段（ＧＳ）
１０１  タイミングマーク
１０２  ミシン指示バーコード
１０３  縦ミシントンボ
１０４  横ミシントンボ
【図１】
0005186946.tif 000002
【図２】
0005186946.tif 000003
【図３】
0005186946.tif 000004
【図４】
0005186946.tif 000005
【図５】
0005186946.tif 000006
【図６】
0005186946.tif 000007
【図７】
0005186946.tif 000008
【図８】
0005186946.tif 000009
【図９】
0005186946.tif 000010
【図１０】
0005186946.tif 000011
【図１１】
0005186946.tif 000012